(57)【要約】【課題】器具の組立に使用するボルトの数量及び組立工数が少なくてコンパクトな照明器具を提供する。【解決手段】器具本体２と固定枠３と前面枠４とを共締め状態で締結することにより、その器具本体２と固定枠３とよって耐圧防爆容器（電池収容用）を形成し、固定枠３と前面枠４とによって耐圧防爆容器（ＬＥＤ収容用）を形成しているので、２つの耐圧防爆容器の組立に用いるボルトを共用とすることができる。これにより、耐圧防爆容器の組立に使用するボルトの数量及び組立工数を少なくすることができるとともに、器具の小型化をはかることができる。さらに、共締め用の第１ボルト１１のみの締結を解除することによって、固定枠３に前面枠４を第２ボルト１２にて締結したままの状態で、器具本体２と固定枠３との締結を解除することができる（電池収容用の容器を開放することができる）。これにより、ＬＥＤ収容用容器を開放することなく、電池の交換作業を行える。【選択図】図９
2017157384.tif 000002
【特許請求の範囲】
【請求項１】
ＬＥＤを光源とする照明器具であって、
下方が開放された容器状の器具本体と、前記器具本体にヒンジを介して連結された固定枠と、前記器具本体の下方に配置され、上方が開放された容器状の前面枠と、前記器具本体と前記固定枠と前記前面枠とを共締め状態で締結する第１ボルトと、前記固定枠と前記前面枠とを締結する第２ボルトとを備え、
前記第１ボルトによる前記器具本体と前記固定枠との締結によって電池を収容する耐圧防爆容器が形成され、前記第１ボルトによる前記固定枠と前記前面枠との締結によってＬＥＤを収容する耐圧防爆容器が形成される構成とされており、
前記第１ボルトによる共締め状態での締結を解除した状態で、前記固定枠と前記前面枠とは前記第２ボルトによって締結されたままの状態であり、この状態で前記固定枠が前記器具本体に前記ヒンジを介して揺動自在に保持されるように構成されていることを特徴とする照明器具。
【発明の詳細な説明】
【技術分野】
【０００１】
本発明は、ＬＥＤ（発光ダイオード：Light-Emitting Diode）を光源とする照明器具に関する。
【背景技術】
【０００２】
工場、プラント、倉庫などの屋内外のエリアの照明に使用される照明器具としては、耐圧防爆型または安全増防爆型の照明器具が使用されている（例えば、特許文献１、２参照）。また、電池（例えば、非常電源用蓄電池）を備えたＬＥＤ照明器具を耐圧防爆構造とする場合、電池を収容する耐圧防爆容器とＬＥＤを収容する耐圧防爆容器の２つの容器で照明器具を構成する必要がある。
【先行技術文献】
【特許文献】
【０００３】
【特許文献１】特開２０１５−０２６６２７号公報
【特許文献２】特開２００５−１５０００３号公報
【発明の概要】
【発明が解決しようとする課題】
【０００４】
ところで、照明器具を２つの耐圧防爆容器で構成する場合、それぞれの耐圧防爆容器についてボルト締め付けを行う必要がある。このため、照明器具の組立に使用するボルトの数量及び組立工数が多くなる。また、照明器具全体が大型化するという問題がある。
【０００５】
本発明は、以上のような実情を考慮してなされたものであり、器具の組立に使用するボルトの数量及び組立工数が少なくてコンパクトな照明器具を提供することを目的とする。
【課題を解決するための手段】
【０００６】
本発明は、ＬＥＤを光源とする照明器具において、下方が開放された容器状の器具本体と、前記器具本体にヒンジを介して連結された固定枠と、前記器具本体の下方に配置され、上方が開放された容器状の前面枠と、前記器具本体と前記固定枠と前記前面枠とを共締め状態で締結する第１ボルトと、前記固定枠と前記前面枠とを締結する第２ボルトとを備えている。そして、前記第１ボルトによる前記器具本体と前記固定枠との締結によって電池を収容する耐圧防爆容器が形成され、前記第１ボルトによる前記固定枠と前記前面枠との締結によってＬＥＤを収容する耐圧防爆容器が形成される構成とされており、前記第１ボルトによる共締め状態での締結を解除した状態で、前記固定枠と前記前面枠とは前記第２ボルトによって締結されたままの状態であり、この状態で前記固定枠が前記器具本体に前記ヒンジを介して揺動自在に保持されるように構成されていることを特徴としている。
【０００７】
本発明の照明器具によれば、器具本体と固定枠と前面枠とを共締め状態で締結することにより、その器具本体と固定枠とよって耐圧防爆容器（電池収容用）を形成し、固定枠と前面枠とによって耐圧防爆容器（ＬＥＤ収容用）を形成しているので、２つの耐圧防爆容器の組立に用いるボルトを共用とすることができる。これにより耐圧防爆容器の組立に使用するボルトの数量及び組立工数を少なくすることができる。また、固定枠を共用品として２つの耐圧防爆容器を形成するので、器具全体の小型化をはかることができる。なお、固定枠と前面枠とを締結する第２ボルトは、耐圧防爆を確保する必要がないので、最小限の本数（例えば２本）で済む。
【０００８】
ここで、ＬＥＤと電池とを備えた照明器具では、電池の交換サイクルはＬＥＤの交換サイクルよりも短い。このため、電池のみを交換することが可能な構造が要求される。本発明の照明器具にあっては、第１ボルトのみの締結を解除することによって、固定枠に前面枠を第２ボルトにて締結したままの状態で、器具本体と固定枠との締結を解除することができる（電池収容用の容器を開放することができる）ので、電池の交換を行うことができる。そして、電池交換の際には、固定枠と前面枠とで形成される容器内に配置されたＬＥＤ等が外部に露出することがないので、電池交換の作業中に、ＬＥＤや配線等を損傷するおそれがない。しかも、固定枠が器具本体にヒンジを介して連結されているので、器具本体と固定枠との締結を解除した際には、固定枠が器具本体にぶら下がった状態となる。これにより固定枠及び前面枠が落下することはない。
【発明の効果】
【０００９】
本発明によれば、器具本体と固定枠と前面枠とを共締め状態で締結することにより、その器具本体と固定枠とよって耐圧防爆容器（電池収容用）を形成し、固定枠と前面枠とによって耐圧防爆容器（ＬＥＤ収容用）を形成しているので、耐圧防爆容器の組立に使用するボルトの数量及び組立工数を少なくすることができるとともに、器具のコンパクト化をはかることができる。しかも、電池を交換する際に、ＬＥＤや配線等を損傷するおそれがない。
【図面の簡単な説明】
【００１０】
【図１】本発明の照明器具の実施形態を示す斜視図である。
【図２】本発明の照明器具の実施形態を示す斜視図である。
【図３】本発明の照明器具の実施形態を示す側面図である。
【図４】本発明の照明器具の実施形態を示す平面図である。
【図５】本発明の照明器具の実施形態を示す底面図である。
【図６】図４のＸ−Ｘ断面図である。
【図７】図４のＹ−Ｙ断面図である。
【図８】本発明の照明器具の実施形態を示す分解斜視図である。
【図９】本発明の照明器具の実施形態を示す斜視図である。なお、図９では器具本体に対して固定枠及び前面枠を下方に開いた状態を示している。
【図１０】ＬＥＤ光源ユニットの縦断面図である。
【図１１】ＬＥＤ光源ユニットのＬＥＤ基板及びレンズユニットを抽出して示す斜視図である。
【図１２】図１２（Ａ）及び図１２（Ｂ）はそれぞれ本発明の照明器具の実施形態を天井に取り付けた状態を示す図である。なお、図１２（Ｂ）では器具本体に対して固定枠及び前面枠を下方に開いた状態を示している。
【発明を実施するための形態】
【００１１】
以下、本発明の実施形態を図面に基づいて説明する。
【００１２】
本発明の照明器具の実施形態について図１〜図１２を参照して説明する。
【００１３】
本実施形態の照明器具１は、ＬＥＤを光源とする天井吊下げ式の耐圧防爆形照明器具（例えば、ＬＥＤ非常灯器具）であって、工場、プラント、倉庫などの屋内外のエリアの照明に用いられる。
【００１４】
照明器具１は、器具本体２、固定枠３、前面枠４、ＬＥＤ光源ユニット５、蓄電池（例えば、ニッケル水素蓄電池）６、制御装置７、トグルスイッチ８１、押ボタンスイッチ８２、８本の第１ボルト１１・・１１、及び、２本の第２ボルト１２，１２などを備えている。第１ボルト１１及び第２ボルト１２は共に六角穴付きボルトである。
【００１５】
なお、本実施形態の照明器具１にあっては、通常時及び非常時（停電時）に点灯される場合と、通常時は消灯状態であり、非常時のみ点灯される場合がある。非常時における点灯の際にはＬＥＤ光源ユニット５には蓄電池６からの電力が供給される。蓄電池６は器具外部からの電力供給により蓄電される。制御装置７にはＬＥＤ駆動回路や充電制御回路などが組み込まれており、ＬＥＤ光源ユニット５の駆動や蓄電池６の充電などを制御する。
【００１６】
次に、本実施形態の照明器具１の各部の詳細について説明する。
【００１７】
−器具本体−
器具本体２は、例えばアルミニウムダイキャスト製品であって、下方が開放された略円すい台形状（容器状）に加工されている。器具本体２の下部周縁にフランジ２１が一体形成されている。フランジ２１には、８つの雌ねじ穴２１ａ・・２１ａが設けられている。これら雌ねじ穴２１ａ・・２１ａは、当該器具本体２の中心に対して４５°回転対称に配置されている。図７〜図９に示すように、各雌ねじ穴２１ａには、器具本体２と固定枠３と前面枠４とを共締め状態で締結するための第１ボルト１１がねじ込まれる。
【００１８】
なお、各雌ねじ穴２１ａにはそれぞれ座ぐり穴２１ｂが設けられている（図７〜図９参照）。また、器具本体２のフランジ２１には、後述する固定枠３の２つの雌ねじ穴３１ｂ，３１ｂに対応する位置にそれぞれ座ぐり穴２１ｃが設けられている（図６、図７及び図８参照）。
【００１９】
また、器具本体２の上部には、図６に示すように、円筒形状の吊下パイプ用取付穴２２及びケーブル導入穴２３が上部から順に設けられている。ケーブル導入穴２３には、複数のケーブル挿通穴を有するゴムスリーブ２５が嵌め込まれている。吊下パイプ用取付穴２２の内周面には管用雌ねじ（図示せず）２２ａが形成されている。その管用雌ねじ２２ａは、吊下パイプＰ（図１２参照）に形成されている管用雄ねじに噛み合うことが可能である。また、吊下パイプ用取付穴２２の周壁には、吊下パイプ用取付穴２２に挿し込んだ吊下パイプＰと器具本体２とを固定するためのなべ小ねじ２４が設けられている。
【００２０】
−固定枠−
固定枠３は、例えばアルミニウムダイキャスト製品であって、略円筒形状の周壁３０、その周壁３０の外周縁に沿って延びるフランジ３１、上部隔壁３２、下部隔壁３３、及び縦隔壁３４が一体形成されている。上部隔壁３２及び下部隔壁３３は扇形の平板であり、上下方向において段違いに配置されている。これら上部隔壁３２と下部隔壁３３とは屈曲形状の縦隔壁３４によって接続されている。
【００２１】
固定枠３の後部（照明器具１の後部）は器具本体２に１つのヒンジ１０を介して連結されており、後述するように、固定枠３と器具本体２との締結を解除した状態で、固定枠３が器具本体２に揺動自在に支持される。ヒンジ１０は、ヒンジ軸１０ａ、及び、ヒンジ軸１０ａをガイド保持するガイド穴を有するヒンジ金具１０ｂを備えている。ヒンジ金具１０ｂのガイド穴は上下方向に沿って延びる長穴であり、固定枠３と器具本体２との締結を解除した状態で、ヒンジ金具１０ｂのガイド穴の範囲内において固定枠３を器具本体２に対して上下方向に移動することが可能である。
【００２２】
図６及び図７に示すように、固定枠３の周壁３０の上部側の外周面３０ａは、円すいテーパ面となっており、器具本体２の下部内周面（円すいテーパ面）２０ａに嵌合可能である。そして、器具本体２のフランジ２１と固定枠３のフランジ３１とを合わせた状態（締結した状態）で、周壁３０の外周面３０ａと器具本体２の下部内周面２０ａとが密着するようになっており、防爆性能が確保される。また、固定枠３の周壁３０の下部側の外周面３０ｂは、逆円すいテーパ面となっており、前面枠４の上部内周面（円すいテーパ面）４０ｂに嵌合可能である。そして、固定枠３のフランジ３１と前面枠４のフランジ４１とを合わせた状態（締結した状態）で、周壁３０の外周面３０ｂと前面枠４の上部内周面４０ｂとが密着するようになっており、防爆性能が確保される。
【００２３】
固定枠３のフランジ３１は上記器具本体２のフランジ２１と対応する形状に加工されている。この固定枠３のフランジ３１には、第１ボルト１１の挿通用の８つのボルト挿通穴３１ａ・・３１ａが設けられている。これらボルト挿通穴３１ａ・・３１ａは、上記器具本体２の８つの雌ねじ穴２１ａ・・２１ａに対応する位置関係で配置されており、当該固定枠３のフランジ３１と器具本体２のフランジ２１とを合わせた状態で、固定枠３のボルト挿通穴３１ａと器具本体２の雌ねじ穴２１ａとの位置合わせを行うことにより、これら固定枠３のボルト挿通穴３１ａの中心と器具本体２の雌ねじ穴２１ａの中心とを一致させることができる。
【００２４】
また、固定枠３のフランジ３１には２つの雌ねじ穴３１ｂ，３１ｂが設けられている。これら雌ねじ穴３１ｂ，３１ｂは、それぞれ、照明器具１の器具前側の位置（ヒンジ１０とは反対側の位置）と器具後側の位置（ヒンジ１０側の位置）に設けられており、固定枠３の中心に対して１８０°回転対称となる位置に配置されている。また、各雌ねじ穴３１ｂ，３１ｂは、それぞれ、器具前側と器具後側とに配置の２つのボルト挿通穴３１ａ，３１ａの円周方向における中央位置に配置されている。図６、図８及び図９に示すように、各雌ねじ穴３１ｂには、固定枠３と前面枠４とを締結するための第２ボルト１２がねじ込まれる。
【００２５】
固定枠３には、周壁３０と下部隔壁３３と縦隔壁３４とによって区画された本体側収容凹部３５が設けられている。この本体側収容凹部３５は上方（器具本体２側）が開放されている。本体側収容凹部３５には蓄電池６が配置されている。蓄電池６は取付金具６１（図８、図９参照）等によって下部隔壁３３に着脱自在に取り付けられている。また、固定枠３には、周壁３０と上部隔壁３２と縦隔壁３４とによって区画された前面枠側収容凹部３６が設けられている。この前面枠側収容凹部３６は下方（前面枠４側）が開放されている。前面枠側収容凹部３６には制御装置７が配置されている。制御装置７は上部隔壁３２に取り付けられている。
【００２６】
なお、固定枠３の上部隔壁３２には、ケーブル導入穴（図示せず）が設けられており、そのケーブル導入穴に、複数のケーブル挿通穴を有するゴムスリーブ３７が嵌め込まれている（図８、図9参照）。
【００２７】
−前面枠−
前面枠４は、例えばアルミニウムダイキャスト製品であって、上方が開放された略円筒形状（容器状）に加工されている。前面枠４の上部周縁にフランジ４１が一体形成されている。この前面枠４のフランジ４１は上記固定枠３のフランジ３１（上記器具本体２のフランジ２１）と対応する形状に加工されている。
【００２８】
前面枠４のフランジ４１には、第１ボルト１１の挿通用の８つのボルト挿通穴４１ａ・・４１ａが設けられている。これらボルト挿通穴４１ａ・・４１ａは、上記固定枠３の８つのボルト挿通穴３１ａ・・３１ａ（上記器具本体２の８つの雌ねじ穴２１ａ・・２１ａ）に対応する位置関係で配置されており、前面枠４のフランジ４１と固定枠３のフランジ３１とを合わせた状態で、前面枠４のボルト挿通穴４１ａと固定枠３のボルト挿通穴３１ａとを位置合せすることにより、これら前面枠４のボルト挿通穴４１ａの中心と固定枠３のボルト挿通穴３１ａの中心（上記器具本体２の雌ねじ穴２１ａの中心）と一致させることができる。
【００２９】
また、前面枠４のフランジ４１には、第２ボルト１２の挿通用の２つのボルト挿通穴４１ｂ，４１ｂが設けられている。これらボルト挿通穴４１ｂ，４１ｂは、上記固定枠３の雌ねじ穴３１ｂ，３１ｂに対応する位置関係で配置されており、前面枠４のフランジ４１と固定枠３のフランジ３１とを合わせた状態で、前面枠４のボルト挿通穴４１ｂと固定枠３の雌ねじ穴３１ｂとの位置合せを行うことにより、これら前面枠４のボルト挿通穴４１ｂの中心と固定枠３の雌ねじ穴３１ｂの中心とを一致させることができる。
【００３０】
なお、前面枠４のボルト挿通穴４１ａの中心と固定枠３のボルト挿通穴３１ａの中心とを位置合せすることにより、前面枠４のボルト挿通穴４１ｂの中心と固定枠３の雌ねじ穴３１ｂの中心とが一致する。
【００３１】
前面枠４の下部には開口部４ａが設けられている。この開口部４ａは前面ガラス４２によって塞がれている。前面ガラス４２は、前面枠４の内部側に配置されており、押え板４３によって前面枠４に固定されている。前面ガラスと押え板４３との間及び前面ガラス４２と前面枠４との間にはそれぞれパッキン４４，４５が挟み込まれている（図６参照）。
【００３２】
押え板４３には、後述するＬＥＤ光源ユニット５のレンズユニット５４の前面板５４ａに対応する位置に略正三角形状の開口部４３ａが設けられている。また、押え板４３には、後述するスイッチ基板８に配置された１つのＬＥＤ８３に対応する位置に円形の貫通穴４３ｂが設けられている（図６参照）。
【００３３】
−ＬＥＤ光源ユニット−
上記前面枠４の内部にはＬＥＤ光源ユニット５が配置されている。このＬＥＤ光源ユニット５は開口部４ａの上方に位置している。ＬＥＤ光源ユニット５は、図１０及び図１１に示すように、ＬＥＤ基板５１、３個のＬＥＤ５２・・５２、光源取付板５３、及びレンズユニット５４などを備えている。
【００３４】
ＬＥＤ基板５１には３個のＬＥＤ５２・・５２が実装されている。これら３個のＬＥＤ５２・・５２は正三角形の頂点となる位置に配置されている。レンズユニット５４は、透光性を有する材料製の部材であって、正面形状が略正三角形状の前面板５４ａと、３つのレンズ部５４ｂ・・５４ｂ、及び３本の脚部５４ｃ・・５４ｃを備えている。各レンズ部５４ｂは上記ＬＥＤ基板５１に搭載されたＬＥＤ５２に対応する位置（正三角形の頂点となる位置）に配置されており、レンズユニット５４をＬＥＤ基板５１に対して位置決めした状態で、各レンズ部５４ｂの光軸と各ＬＥＤ５２の光軸とが一致する。
【００３５】
そして、光源取付板５３は、スペーサ５５を介して押え板４３に取り付けられている。この光源取付板５３と押え板４３との間にＬＥＤ基板５１とレンズユニット５４とが配置されており、レンズユニット５４の前面板５４ａが押え板４３の開口部４３ａに嵌め込まれている。
【００３６】
さらに、前面枠４の下部には、電源用のトグルスイッチ８１及び点検用の押ボタンスイッチ８２が設けられている。これらトグルスイッチ８１及び押ボタンスイッチ８２はスイッチ基板８に取り付けられている。スイッチ基板８にはパイロットランプとしてのＬＥＤ８３が実装されている。
【００３７】
＜特徴部分＞
本実施形態の照明器具１では、器具本体２と固定枠３と前面枠４とを８本の第１ボルト１１・・１１によって共締め状態で締結している点に特徴がある。
【００３８】
具体的には、器具本体２のフランジ２１と固定枠３のフランジ３１と固定枠３の前面枠４のフランジ４１とをこの順で重ね合わせるとともに、器具本体２の各雌ねじ穴２１ａに、それぞれ固定枠３のボルト挿通穴３１ａ及び前面枠４のボルト挿通穴４１ａを位置合せした状態で、前面枠４の各ボルト挿通穴４１ａ及び固定枠３のボルト挿通穴３１ａにそれぞれ第１ボルト１１を挿通し、その各第１ボルト１１をそれぞれ器具本体２の雌ねじ穴２１ａにねじ込むことによって、器具本体２と固定枠３と前面枠４とを８本の第１ボルト１１・・１１によって共締め状態で締結している。
【００３９】
このような締結状態（共締め状態）で、器具本体２の下部開放部が固定枠３によって密閉状態で閉鎖され、これら器具本体２と固定枠３とによって耐圧防爆容器（蓄電池６用の容器）が形成される。さらに、前面枠４の上部開放部が固定枠３によって密閉状態で閉鎖され。これら固定枠３と前面枠４とによって耐圧防爆容器（ＬＥＤ光源ユニット５用の容器）が形成される。
【００４０】
また、本実施形態の照明器具１にあっては、固定枠３と前面枠４とを２本の第２ボルト１２，１２によって締結している点に特徴がある。具体的には、前面枠４の各ボルト挿通穴４１ｂにそれぞれ第２ボルト１２を挿通し、その各第２ボルト１２を固定枠３の雌ねじ穴３１ｂにねじ込むことによって固定枠３と前面枠４とを締結している。
【００４１】
ただし、第２ボルト１２の首下長さは、固定枠３と前面枠４とを締結した状態で、当該第２ボルト１２の軸部先端が固定枠３のフランジ３１の上面と一致するか、もししくはフランジ３１上面から僅かに突出するような長さとしている。ここで、図６、図７及び図８に示すように、器具本体２のフランジ２１には固定枠３の各雌ねじ穴３１ｂに対応する位置にそれぞれ座ぐり穴２１ｃが設けられているので、第２ボルト１２の軸部先端が固定枠３のフランジ３１の上面から突出しても、第２ボルト１２が器具本体２のフランジ２１に干渉することはない。さらに、図６に示すように、各第２ボルト１２の頭部には、当該ボルト頭部を隠すためのキャップ１３が嵌め込まれている。このように第２ボルト１２の頭部にキャップ１３を嵌め込んでおくことにより、後述する蓄電池６の交換の際に、第２ボルト１２が扱われることを防止することができる。
【００４２】
なお、器具本体２、固定枠３及び前面枠４の組立については、先に、第２ボルト１２による固定枠３と前面枠４との締結を行っておき、その固定枠３及び前面枠４と、器具本体２とを第１ボルト１１にて共締め状態で締結するようにしてもよい。
【００４３】
ここで、以上のようにして、器具本体２と固定枠３と前面枠４とを８本の第１ボルト１１・・１１によって共締め状態で締結した照明器具１について性能試験を行ったところ、耐圧防爆容器に求められる圧力試験及び爆発引火試験を満足し、厚生労働省型式試験に合格できる構造であることが確認できた。
【００４４】
そして、本実施形態の照明器具１は、図１２（Ａ）に示すように、器具本体２に吊下パイプＰを取り付け、その吊下パイプＰ及び端子箱Ｂを介して天井に取り付けられる。この取り付け状態で、蓄電池６の交換を行う際には、８本の第１ボルト１１・・１１のみを緩めて器具本体２の雌ねじ穴２１ａから取り外す。これにより器具本体２と固定枠３との締結が解除されるが、固定枠３と前面枠４とは第２ボルト１２によって締結されたままの状態となり、図１２（Ｂ）に示すように、固定枠３（前面枠４も含む）が器具本体２にヒンジ１０を介して揺動自在に保持される。
【００４５】
＜効果＞
以上説明したように、本実施形態の照明器具１によれば、器具本体２と固定枠３と前面枠４とを共締め状態で締結することにより、その器具本体２と固定枠３とよって耐圧防爆容器（蓄電池６用の容器）を形成し、固定枠３と前面枠４とによって耐圧防爆容器（ＬＥＤ光源ユニット５用の容器）を形成しているので、２つの耐圧防爆容器の組立に用いるボルトを共用とすることができる。これにより、耐圧防爆容器の組立に使用するボルトの数量及び組立工数を少なくすることができる。また、固定枠３を共用品として２つの耐圧防爆容器を形成するので、器具全体の小型化をはかることができる。
【００４６】
しかも、本実施形態の照明器具１にあっては、第１ボルト１１のみの締結を解除することによって、固定枠３に前面枠４を第２ボルト１２にて締結したままの状態で、固定枠３を器具本体２に対して下方に開くことが可能になるので（図９、図１２（Ｂ）参照）、固定枠３に配置された蓄電池６の交換を行うことができる。そして、電池交換の際には、固定枠３と前面枠４とで形成される容器内に配置されたＬＥＤ光源ユニット等が外部に露出することがないので、電池交換の作業中に、ＬＥＤ光源ユニット５の機器・配線等を損傷するおそれがない。しかも、固定枠３が器具本体２にヒンジ１０を介して連結されているので、固定枠３を下方に開いた際には、固定枠３が器具本体２にぶら下がった状態となる（図１２（Ｂ）参照）。これにより固定枠３及び前面枠４が落下することはない。
【００４７】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００４８】
例えば、以上の実施形態では、天井吊り下げ式の照明器具について説明したが、本発明はこれに限られることなく、天井面直付け式の照明器具にも適用可能である。
【産業上の利用可能性】
【００４９】
本発明は、光源としてのＬＥＤ及び電池を備えた照明器具に有効に利用することができる。
【符号の説明】
【００５０】
１  照明器具
１０  ヒンジ
２  器具本体
２０ａ  下部内周面
２１  フランジ
２１ａ  雌ねじ穴
３  固定枠
３０  周壁
３０ａ  外周面
３０ｂ  外周面
３１  フランジ
３１ａ  ボルト挿通穴
３１ｂ  雌ねじ穴
３２  上部隔壁
３３  下部隔壁
３４  縦隔壁
４  前面枠
４ａ  開口部
４０ｂ  上部内周面
４１  フランジ
４１ａ  ボルト挿通穴
４１ｂ  ボルト挿通穴
５  ＬＥＤ光源ユニット
５２  ＬＥＤ
６  蓄電池
７  制御装置
１１  第１ボルト（六角穴付きボルト）
１２  第２ボルト（六角穴付きボルト）
１３  キャップ
【図１】
2017157384.tif 000003
【図２】
2017157384.tif 000004
【図３】
2017157384.tif 000005
【図４】
2017157384.tif 000006
【図５】
2017157384.tif 000007
【図６】
2017157384.tif 000008
【図７】
2017157384.tif 000009
【図８】
2017157384.tif 000010
【図９】
2017157384.tif 000011
【図１０】
2017157384.tif 000012
【図１１】
2017157384.tif 000013
【図１２】
2017157384.tif 000014
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
ＬＥＤを光源とする照明器具であって、
下方が開放された容器状の器具本体と、前記器具本体にヒンジを介して連結された固定枠と、前記器具本体の下方に配置され、上方が開放された容器状の前面枠と、前記器具本体と前記固定枠と前記前面枠とを共締め状態で締結する第１ボルトと、前記固定枠と前記前面枠とを締結する第２ボルトとを備え、
前記固定枠は、略円筒形状の周壁とその周壁の内側に一体形成された隔壁とを有し、前記周壁の上部側の外周面は前記器具本体の下部内周面の円すいテーパ面と嵌合可能な円すいテーパ面となっているとともに、前記周壁の下部側の外周面は前記前面枠の上部内周面の円すいテーパ面と嵌合可能な円すいテーパ面となっており、
前記第１ボルトによる前記器具本体と前記固定枠との締結により、前記固定枠の周壁の上部側の外周面の円すいテーパ面と前記器具本体の下部内周面の円すいテーパ面とが密着して前記器具本体の下方の開放部が前記固定枠によって密閉状態で閉鎖され、当該器具本体と固定枠とによって電池を収容する耐圧防爆容器が形成され、
前記第１ボルトによる前記固定枠と前記前面枠との締結により、前記固定枠の周壁の下部側の外周面の円すいテーパ面と前記前面枠の上部内周面の円すいテーパ面とが密着して前記前面枠の上方の開放部が前記固定枠によって密閉状態で閉鎖され、当該器具本体と前面枠とによってＬＥＤを収容する耐圧防爆容器が形成される構成とされており、
前記第１ボルトによる共締め状態での締結を解除した状態で、前記固定枠と前記前面枠とは前記第２ボルトによって締結されたままの状態であり、この状態で前記固定枠が前記器具本体に前記ヒンジを介して揺動自在に保持されるように構成されていることを特徴とする照明器具。
【手続補正２】
【補正対象書類名】明細書
【補正対象項目名】０００６
【補正方法】変更
【補正の内容】
【０００６】
本発明は、ＬＥＤを光源とする照明器具において、下方が開放された容器状の器具本体と、前記器具本体にヒンジを介して連結された固定枠と、前記器具本体の下方に配置され、上方が開放された容器状の前面枠と、前記器具本体と前記固定枠と前記前面枠とを共締め状態で締結する第１ボルトと、前記固定枠と前記前面枠とを締結する第２ボルトとを備えている。前記固定枠は、略円筒形状の周壁とその周壁の内側に一体形成された隔壁とを有し、前記周壁の上部側の外周面は前記器具本体の下部内周面の円すいテーパ面と嵌合可能な円すいテーパ面となっており、前記周壁の下部側の外周面は前記前面枠の上部内周面の円すいテーパ面と嵌合可能な円すいテーパ面となっている。そして、前記第１ボルトによる前記器具本体と前記固定枠との締結により、前記固定枠の周壁の上部側の外周面の円すいテーパ面と前記器具本体の下部内周面の円すいテーパ面とが密着して前記器具本体の下方の開放部が前記固定枠によって密閉状態で閉鎖され、当該器具本体と固定枠とによって電池を収容する耐圧防爆容器が形成され、前記第１ボルトによる前記固定枠と前記前面枠との締結により、前記固定枠の周壁の下部側の外周面の円すいテーパ面と前記前面枠の上部内周面の円すいテーパ面とが密着して前記前面枠の上方の開放部が前記固定枠によって密閉状態で閉鎖され、当該器具本体と前面枠とによってＬＥＤを収容する耐圧防爆容器が形成される構成とされており、前記第１ボルトによる共締め状態での締結を解除した状態で、前記固定枠と前記前面枠とは前記第２ボルトによって締結されたままの状態であり、この状態で前記固定枠が前記器具本体に前記ヒンジを介して揺動自在に保持されるように構成されていることを特徴としている。